(57)【特許請求の範囲】
【請求項１】
送信されるべきデータのために利用可能なデータ割り当てサイズを決定することと、
ダウンリンク・グラントにおいてユーザ機器（ＵＥ）に前記データ割り当てサイズをシグナリングすることと、
前記データ割り当てサイズに少なくとも一部基づいてバンドリング・サイズを決定することと、
前記決定されたバンドリング・サイズのバンドルされた連続リソース・ブロックにおける少なくとも１つのリファレンス信号をプリコーディングすることと、ここにおいて、各バンドルにおけるリソース・ブロックにおける前記少なくとも１つのリファレンス信号は、共通プリコーディング・マトリックスでプリコードされる、
を含む、ワイヤレス通信のための方法。
【請求項２】
各リソース・ブロックにおけるデータは、前記少なくとも１つのリファレンス信号のような前記同一のプリコーダを使用する、請求項１に記載の方法。
【請求項３】
前記バンドリング・サイズを前記決定することは、遅延スプレッドに少なくとも一部基づいて前記バンドリング・サイズを決定することをさらに含む、請求項１に記載の方法。
【請求項４】
前記バンドリング・サイズを前記決定することは、多くの送信アンテナおよび多くの受信アンテナのうちの１つに少なくとも一部基づいて前記バンドリング・サイズを決定することをさらに含む、請求項１に記載の方法。
【請求項５】
前記バンドリング・サイズを前記決定することは、電流送信ランクに少なくとも一部基づいて前記バンドリング・サイズを決定することをさらに含む、請求項１に記載の方法。
【請求項６】
前記バンドリング・サイズを前記決定することは、送信モードに少なくとも一部基づいて前記バンドリング・サイズを決定することをさらに含む、請求項１に記載の方法。
【請求項７】
前記送信モードは、オープン−ループ送信モードおよびクローズド−ループ送信モードのうちの１つを含む、請求項６に記載の方法。
【請求項８】
送信されるべきデータのために利用可能なデータ割り当てサイズを決定するための手段と、
ダウンリンク・グラントにおいてユーザ機器（ＵＥ）に前記データ割り当てサイズをシグナリングするための手段と、
前記データ割り当てサイズに少なくとも一部基づいてバンドリング・サイズを決定するための手段と、
前記決定されたバンドリング・サイズのバンドルされた連続リソース・ブロックにおける少なくとも１つのリファレンス信号をプリコーディングするための手段と、ここにおいて、各バンドルにおけるリソース・ブロックにおける前記少なくとも１つのリファレンス信号は、共通プリコーディング・マトリックスでプリコードされる、
を含む、ワイヤレス通信のための装置。
【請求項９】
各リソース・ブロックにおけるデータは、前記少なくとも１つのリファレンス信号のような前記同一のプリコーダを使用する、請求項８に記載の装置。
【請求項１０】
前記バンドリング・サイズを決定するための前記手段は、遅延スプレッドに少なくとも一部基づいて前記バンドリング・サイズを決定するための手段をさらに含む、請求項８に記載の装置。
【請求項１１】
前記バンドリング・サイズを決定するための前記手段は、多くの送信アンテナおよび多くの受信アンテナのうちの１つに少なくとも一部基づいて前記バンドリング・サイズを決定するための手段をさらに含む、請求項８に記載の装置。
【請求項１２】
前記バンドリング・サイズを決定するための前記手段は、電流送信ランクに少なくとも一部基づいて前記バンドリング・サイズを決定するための手段をさらに含む、請求項８に記載の装置。
【請求項１３】
前記バンドリング・サイズを決定するための前記手段は、送信モードに少なくとも一部基づいて前記バンドリング・サイズを決定するための手段をさらに含む、請求項８に記載の装置。
【請求項１４】
前記送信モードは、オープン−ループ送信モードおよびクローズド−ループ送信モードのうちの１つを含む、請求項１３に記載の装置。
【請求項１５】
その上に記憶される命令を有するコンピュータ可読記録媒体であって、
前記命令はプロセッサによって実行可能であり、前記命令は、
送信されるべきデータのために利用可能なデータ割り当てサイズを決定するための命令と、
ダウンリンク・グラントにおいてユーザ機器（ＵＥ）に前記データ割り当てサイズをシグナリングするための命令と、
前記データ割り当てサイズに少なくとも一部基づいてバンドリング・サイズを決定するための命令と、
前記決定されたバンドリング・サイズのバンドルされた連続リソース・ブロックにおける少なくとも１つのリファレンス信号をプリコーディングするための命令と、ここにおいて、各バンドルにおけるリソース・ブロックにおける前記少なくとも１つのリファレンス信号は、共通プリコーディング・マトリックスでプリコードされる
を含む、コンピュータ可読記録媒体。
【請求項１６】
送信されるべきデータのために利用可能なデータ割り当てサイズを決定する、
ダウンリンク・グラントにおいてユーザ機器（ＵＥ）に前記データ割り当てサイズをシグナリングする、
前記データ割り当てサイズに少なくとも一部基づいてバンドリング・サイズを決定する、
前記決定されたバンドリング・サイズのバンドルされた連続リソース・ブロックにおける少なくとも１つのリファレンス信号をプリコードする
ように構成される少なくとも１つのプロセッサと、ここにおいて、各バンドルにおけるリソース・ブロックにおける前記少なくとも１つのリファレンス信号は、共通プリコーディング・マトリックスでプリコードされる、
前記少なくとも１つのプロセッサに結合されるメモリと
を含む、ワイヤレス通信のための装置。
【請求項１７】
各リソース・ブロックにおけるデータは、前記少なくとも１つのリファレンス信号のような前記同一のプリコーダを使用する、請求項１６に記載の装置。
【請求項１８】
ダウンリンク・グラントにおいて基地局からデータ割り当てサイズを受信することと、
連続リソース・ブロックのバンドルにおける前記基地局から送信されたデータの前記データ割り当てサイズに基づいてバンドリング・サイズを決定することと、ここにおいて、各バンドルにおけるリソース・ブロックにおける少なくとも１つのリファレンス信号は、共通プリコーディング・マトリックスでプリコードされる
前記基地局から送信された１つ以上のリファレンス信号および前記決定されたバンドリング・サイズに基づいて少なくとも１つのプリコード化チャネルを推定することと
を含む、ワイヤレス通信のための方法。
【請求項１９】
前記推定されたプリコード化チャネルを使用して前記受信されたバンドルをデコーディングすることをさらに含む、請求項１８に記載の方法。
【請求項２０】
各リソース・ブロックにおけるデータは、前記少なくとも１つのリファレンス信号のような前記同一のプリコーダを使用する、請求項１８に記載の方法。
【請求項２１】
前記決定することは、遅延スプレッドに少なくとも一部基づいて前記バンドリング・サイズを決定することをさらに含む、請求項１８に記載の方法。
【請求項２２】
前記決定することは、多くの送信アンテナおよび多くの受信アンテナのうちの１つに少なくとも一部基づいて前記バンドリング・サイズを決定することをさらに含む、請求項１８に記載の方法。
【請求項２３】
前記決定することは、電流送信ランクに少なくとも一部基づいて前記バンドリング・サイズを決定することをさらに含む、請求項１８に記載の方法。
【請求項２４】
前記決定することは、送信モードに少なくとも一部基づいて前記バンドリング・サイズを決定することをさらに含む、請求項１８に記載の方法。
【請求項２５】
前記送信モードは、オープン−ループ送信モードおよびクローズド−ループ送信モードのうちの少なくとも１つを含む、請求項２４に記載の方法。
【請求項２６】
ダウンリンク・グラントにおいて基地局からデータ割り当てサイズを受信するための手段と、
連続リソース・ブロックのバンドルにおける前記基地局から送信されたデータの前記データ割り当てサイズに基づいてバンドリング・サイズを決定するための手段と、ここにおいて、各バンドルにおけるリソース・ブロックにおける少なくとも１つのリファレンス信号は、共通プリコーディング・マトリックスでプリコードされる
前記基地局から送信された１つ以上のリファレンス信号および前記決定されたバンドリング・サイズに基づいて少なくとも１つのプリコード化チャネルを推定するための手段と
を含む、ワイヤレス通信のための装置。
【請求項２７】
前記推定されたプリコード化チャネルを使用して前記受信されたバンドルをデコーディングするための手段をさらに含む、請求項２６に記載の装置。
【請求項２８】
各リソース・ブロックにおけるデータは、前記少なくとも１つのリファレンス信号のような前記同一のプリコーダを使用する、請求項２６に記載の装置。
【請求項２９】
前記バンドリング・サイズを決定するための前記手段は、遅延スプレッドに少なくとも一部基づいて前記バンドリング・サイズを決定するための手段をさらに含む、請求項２６に記載の装置。
【請求項３０】
前記バンドリング・サイズを決定するための前記手段は、多くの送信アンテナおよび多くの受信アンテナのうちの１つに少なくとも一部基づいて前記バンドリング・サイズを決定するための手段をさらに含む、請求項２６に記載の装置。
【請求項３１】
前記バンドリング・サイズを決定するための前記手段は、電流送信ランクに少なくとも一部基づいて前記バンドリング・サイズを決定するための手段をさらに含む、請求項２６に記載の装置。
【請求項３２】
前記バンドリング・サイズを決定するための前記手段は、送信モードに少なくとも一部基づいて前記バンドリング・サイズを決定するための手段をさらに含む、請求項２６に記載の装置。
【請求項３３】
前記送信モードは、オープン−ループ送信モードおよびクローズド−ループ送信モードのうちの１つを含む、請求項３２に記載の装置。
【請求項３４】
その上に記憶される命令を有するコンピュータ可読記録媒体であって、
前記命令はプロセッサによって実行可能であり、前記命令は、
ダウンリンク・グラントにおいて基地局からデータ割り当てサイズを受信するための命令と、
連続リソース・ブロックのバンドルにおける前記基地局から送信されたデータの前記データ割り当てサイズに基づいてバンドリング・サイズを決定するための命令と、ここにおいて、各バンドルにおけるリソース・ブロックにおける少なくとも１つのリファレンス信号は、共通プリコーディング・マトリックスでプリコードされる
前記基地局から送信された１つ以上のリファレンス信号および前記決定されたバンドリング・サイズに基づいて少なくとも１つのプリコード化チャネルを推定するための命令と
を含む、コンピュータ可読記録媒体。
【請求項３５】
各リソース・ブロックにおけるデータは、前記少なくとも１つのリファレンス信号のような前記同一のプリコーダを使用する、請求項３４に記載のコンピュータ可読記録媒体。
【請求項３６】
ダウンリンク・グラントにおいて基地局からデータ割り当てサイズを受信する、
連続リソース・ブロックのバンドルにおける前記基地局から送信されたデータの前記データ割り当てサイズに基づいてバンドリング・サイズを決定する、ここにおいて、各バンドルにおけるリソース・ブロックにおける少なくとも１つのリファレンス信号は、共通プリコーディング・マトリックスでプリコードされる、
前記基地局から送信された１つ以上のリファレンス信号および前記決定されたバンドリング・サイズに基づいて少なくとも１つのプリコード化チャネルを推定する
ように構成される少なくとも１つのプロセッサと、
前記少なくとも１つのプロセッサに結合されるメモリと
を含む、ワイヤレス通信のための装置。
【請求項３７】
前記少なくとも１つのプロセッサは、前記推定されたプリコード化チャネルを使用して前記受信されたバンドルを複号するようにさらに構成される、請求項３６に記載の装置。
【請求項３８】
各リソース・ブロックにおけるデータは、前記少なくとも１つのリファレンス信号のような前記同一のプリコーダを使用する、請求項３６に記載の装置。
【発明の詳細な説明】
【技術分野】
【０００１】
本開示のある特定の態様は、一般に、ワイヤレス通信に関し、より具体的に、ワイヤレス通信におけるリソース・ブロック・バンドリングに関する。
【背景技術】
【０００２】
ワイヤレス通信システムは、音声、データ等のような通信コンテンツのさまざまなタイプを提供するために広く展開されている。これらのシステムは、利用可能なシステム・リソース（たとえば、帯域幅および送信電力）を共有することによって、複数のユーザとの通信をサポートすることができる多元接続システムであることができる。そのような多元接続システムの例は、符号分割多元接続（ＣＤＭＡ）システム、時分割多元接続（ＴＤＭＡ）システム、周波数分割多元接続（ＦＤＭＡ）システム、第３世代パートナーシップ・プロジェクト（３ＧＰＰ）、ロング・ターム・エボリューション（ＬＴＥ）システム、および直交周波数分割多元接続（ＯＦＤＭＡ）システムを含む。
【０００３】
一般に、ワイヤレス多元接続通信システムは、複数のワイヤレス端末のための通信を同時にサポートすることができる。各端末は、順方向および逆方向リンクでの送信を経由して１つ以上の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力、複数入力単一出力、または複数入力複数出力（ＭＩＭＯ）システムを経由して確立されることができる。
【０００４】
ＭＩＭＯシステムは、データ送信のために、複数（ＮＴ本）の送信アンテナおよび複数（ＮＲ本）の受信アンテナを適用する。ＮＴ本の送信およびＮＲ本の受信アンテナによって形成されたＭＩＭＯチャネルは、また、空間チャネルとして称されるＮＳ個の独立チャネルへ分解され得る。ＮＳ個の独立チャネルの各々は、ディメンション（dimension）に相当する。ＭＩＭＯシステムは、複数の送信および受信アンテナによって生成されたさらなるディメンションが利用される場合、改善された性能（例えば、より高いスループット、および／または、より高い信頼性）を提供することができる。
【発明の概要】
【０００５】
本開示のある特定の態様は、ワイヤレス通信のための方法を提供する。前記方法は、送信されるべきデータのために利用可能なデータ割り当てサイズ（data allocation size）を決定することと、データ割り当てサイズに少なくとも一部基づいてバンドリング・サイズ（bundling size）を決定することと、決定されたバンドリング・サイズのバンドルされた連続リソース（bundled contiguous resource blocks）における少なくとも１つのリファレンス信号をプリコーディングすることを含む。各バンドルにおけるリソース・ブロックにおける少なくとも１つのリファレンス信号は、共通プリコーディング・マトリックス（common precoding matrix）でプリコードされる。
【０００６】
本開示のある特定の態様は、ワイヤレス通信のための装置を提供する。前記装置は、送信されるべきデータのために利用可能なデータ割り当てサイズを決定するための手段と、データ割り当てサイズに少なくとも一部基づいてバンドリング・サイズを決定するための手段と、決定されたバンドリング・サイズのバンドルされた連続リソース・ブロックにおける少なくとも１つのリファレンス信号をプリコーディングするための手段を含む。各バンドルにおけるリソース・ブロックにおける少なくとも１つのリファレンス信号は、共通プリコーディング・マトリックスでプリコードされる。
【０００７】
本開示のある特定の態様は、ワイヤレス通信のためのコンピュータ・プログラム製品を提供し、その上に記憶される命令を有するコンピュータ可読媒体を含み、前記命令はプロセッサよって実行可能であり、前記命令は、送信されるべきデータのために利用可能なデータ割り当てサイズを決定するための命令と、データ割り当てサイズに少なくとも一部基づいてバンドリング・サイズを決定するための命令と、決定されたバンドリング・サイズのバンドルされた連続リソース・ブロックにおける少なくとも１つのリファレンス信号をプリコーディングするための命令を含む。各バンドルにおけるリソース・ブロックにおける少なくとも１つのリファレンス信号は、共通プリコーディング・マトリックスでプリコードされる。
【０００８】
本開示のある特定の態様は、ワイヤレス通信のための装置を提供する。前記装置は、送信されるべきデータのために利用可能なデータ割り当てサイズを決定し、データ割り当てサイズに少なくとも一部基づいてバンドリング・サイズを決定し、決定されたバンドリング・サイズのバンドルされた連続リソース・ブロックにおける少なくとも１つのリファレンス信号をプリコードするように構成される少なくとも１つのプロセッサを含む。各バンドルにおけるリソース・ブロックにおける少なくとも１つのリファレンス信号は、共通プリコーディング・マトリックスでプリコードされる。前記装置は、少なくとも１つのプロセッサに結合されるメモリをさらに含む。
【０００９】
本開示のある特定の態様は、ワイヤレス通信のための方法を提供する。前記方法は、連続リソース・ブロックのバンドルにおける基地局から送信される受信されたデータのデータ割り当てサイズに基づいてバンドリング・サイズを決定することと、ここにおいて、各バンドルにおけるリソース・ブロックにおける少なくとも１つのリファレンス信号は、共通プリコーディング・マトリックスでプリコードされる、基地局から送信された１つ以上のリファレンス信号および決定されたバンドリング・サイズに基づいて少なくとも１つのプリコード化チャネル（precoded channel）を推定することを含む。
【００１０】
本開示のある特定の態様は、ワイヤレス通信のための装置を提供する。前記装置は、連続リソース・ブロックのバンドルにおける基地局から送信される受信されたデータのデータ割り当てサイズに基づいてバンドリング・サイズを決定するための手段と、ここにおいて、各バンドルにおけるリソース・ブロックにおける少なくとも１つのリファレンス信号は、共通プリコーディング・マトリックスでプリコードされる、基地局から送信された１つ以上のリファレンス信号および決定されたバンドリング・サイズに基づいて少なくとも１つのプリコード化チャネルを推定するための手段を含む。
【００１１】
本開示のある特定の態様は、ワイヤレス通信のためのコンピュータ・プログラム製品を提供し、その上に記憶される命令を有するコンピュータ可読媒体を含み、前記命令はプロセッサによって実行可能であり、前記命令は、連続リソース・ブロックのバンドルにおける基地局から送信される受信されたデータのデータ割り当てサイズに基づいてバンドリング・サイズを決定するための命令と、ここにおいて、各バンドルにおけるリソース・ブロックにおける少なくとも１つのリファレンス信号は、共通プリコーディング・マトリックスでプリコードされる、基地局から送信された１つ以上のリファレンス信号および決定されたバンドリング・サイズに基づいて少なくとも１つのプリコード化チャネルを推定するための命令を含む。
【００１２】
本開示のある特定の態様は、ワイヤレス通信のための装置を提供する。前記装置は、連続リソース・ブロックのバンドルにおける基地局から送信される受信されたデータのデータ割り当てサイズに基づいてバンドリング・サイズを決定し、ここにおいて、各バンドルにおけるリソース・ブロックにおける少なくとも１つのリファレンス信号は、共通プリコーディング・マトリックスでプリコードされる、基地局から送信された１つ以上のリファレンス信号および決定されたバンドリング・サイズに基づいて少なくとも１つのプリコード化チャネルを推定するように構成される少なくとも１つのプロセッサを含む。前記装置は、少なくとも１つのプロセッサに結合されるメモリをさらに含む。
【図面の簡単な説明】
【００１３】
【図１】図１は、ワイヤレス通信ネットワークを示す。
【図２】図２は、基地局およびユーザ機器（ＵＥ）のブロック図を示す。
【図３】図３は、周波数分割多元接続（ＦＤＤ）のためのフレーム構造を示す。
【図４】図４は、ダウンリンクのための例示的なサブフレーム・フォーマットを示す。
【図５】図５は、例示的な基地局およびＵＥを示す。
【図６】図６は、本開示のある特定の態様に従って、基地局によって行われることができる動作例を示す。
【図７】図７は、本開示のある特定の態様に従って、ＵＥによって行われることができる動作例を示す。
【詳細な説明】
【００１４】
いくつかのケースにおいて、物理リソース・ブロック（ＰＲＢｓ）は、バンドルにおけるすべてのＲＢｓにわたって使用される共通プリコーダ・マトリックスとともに、バンドルされることができる。結果として、ＰＲＢバンドリングは、ＵＥに、ＲＢｓにわたるプリコード化チャネルを共同で推定することと、およびチャネル推定性能を改善することを可能にさせることができる。高速ＵＥｓについては、いくつかの異なる（たとえば、任意に選択された）プリコーダがＵＥに割り当てられたデータのために使用されるところで、プリコーダ循環（precoder cycling）が適用されるオープン・ループ・スキームが使用されることができる。このプリコーダ循環は、プリコード化チャネルがエルゴード的（ergodic）に見えるようにするために、多くの異なる方向をスイープ（sweep）しようとして利用されることができる。しかしながら、小さいデータ割り当てサイズに対して、プリコーダ数の減少は、ＰＲＢバンドリングによって取得されたチャネル推定性能における利得（gains）をオフセット（offset）し得る。
【００１５】
本開示のある特定の態様は、データ割り当てサイズに依存する物理リソース・ブロック（ＰＲＢｓ）のバンドリングを生成することによってダウンリンク送信を最適化するのを支援するために利用されることができる技術を提供する。ある特定の態様に従って、バンドリングは、データ割り当てサイズに基づいてイネーブルおよびディスエーブルにされ得る。あるいは、または、さらに、実際のバンドリング・サイズは、データ割り当てサイズに依存し得る。結果として、バンドリングは、十分な数のプリコーダがデータ割り当てのために使用される場合、利用されることができる。小さいデータ割り当てサイズに対して、バンドリングは、少数のプリコーダのみが少数の対応バンドルに起因して使用されるようにディスエーブルにされ得る。
【００１６】
ここに説明される技術は、ＣＤＭＡ、ＴＤＭＡ、ＦＤＭＡ、ＯＦＤＭＡ、ＳＣ−ＦＤＭＡ、および他のネットワークのようなさまざまなワイヤレス通信ネットワークのために使用されることができる。用語「ネットワーク」および「システム」は、しばしば区別なく使用される。ＣＤＭＡネットワークは、ユニバーサル地上無線アクセス（ＵＴＲＡ：Universal Terrestrial Radio Access）、ｃｄｍａ２０００等のような無線技術を実現することができる。ＵＴＲＡは、広帯域ＣＤＭＡ（ＷＣＤＭＡ）、時分割同期ＣＤＭＡ（ＴＤ−ＳＣＤＭＡ）、およびＣＤＭＡの他の変形を含む。ｃｄｍａ２０００は、ＩＳ−２０００、ＩＳ−９５、およびＩＳ−８５６規格をカバーする。ＴＤＭＡネットワークは、移動体通信のための全世界システム（ＧＳＭ（登録商標）：Global System for Mobile Communications）のような無線技術を実現することができる。ＯＦＤＭＡネットワークは、進化型ＵＴＲＡ（Ｅ−ＵＴＲＡ：Evolved UTRA）、ウルトラ・モバイル帯域幅（ＵＭＢ：Ultra Mobile Bandwidth）、ＩＥＥＥ８０２．１１（Ｗｉ−Ｆｉ）、ＩＥＥＥ８０２．１６（ＷｉＭａｘ）、ＩＥＥＥ８０２．２０、フラッシュ（Ｆｌａｓｈ）−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。周波数分割複信（ＦＤＤ）および時分割複信（ＴＤＤ）の両方における３ＧＰＰＬＴＥおよびＬＴＥ−アドバンスト（ＬＴＥ−Ａ）は、ダウンリンクではＯＦＤＭＡを、アップリンクではＳＣ−ＦＤＭＡを適用する、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、およびＧＳＭは、３ＧＰＰからの文書に記述されている。ｃｄｍａ２０００およびＵＭＢは、「第３世代パートナーシップ・プロジェクト２」（３ＧＰＰ２）と名づけられた組織からの文書に記述されている。ここに説明される技術は、他のワイヤレス・ネットワークおよび無線技術と同様に、上述されたワイヤレス・ネットワークおよび無線技術のために使用されることができる。明確にするために、技術のある特定の態様は、ＬＴＥのために下記に説明され、ＬＴＥの専門用語が、下記の説明の大半で使用される。
【００１７】
図１は、ＬＴＥネットワークまたはいくつかの他のワイヤレス・ネットワークであることができる、ワイヤレス通信ネットワーク１００を示す。ワイヤレス・ネットワーク１００は、多くの進化型ノードＢｓ（ｅＮＢｓ）１１０および他のネットワーク・エンティティを含むことができる。ｅＮＢは、ＵＥｓと通信するエンティティであり、また、基地局、ノードＢ、アクセス・ポイント等と称されることができる。各ｅＮＢは、特定の地理的エリアのための通信カバレッジを提供することができる。３ＧＰＰにおいて、用語「セル」は、用語が使用される文脈に依存して、このカバレッジ・エリアをサービングする（serving）ｅＮＢおよび／またはｅＮＢサブシステムのカバレッジ・エリアを称することができる。
【００１８】
ｅＮＢは、マクロ・セル、ピコ・セル、フェムト・セル、および／または他のタイプのセルのための通信カバレッジを提供することができる。マクロ・セルは、比較的大きい地理的エリア（たとえば、半径において数キロメートル）をカバーすることができ、サービス加入しているＵＥｓによって制限されないアクセスを許可することができる。ピコ・セルは、比較的小さい地理的エリアをカバーすることができ、サービス加入しているＵＥｓによって制限されないアクセスを許可することができる。フェムト・セルは、比較的小さい地理的エリア（たとえば、家庭）をカバーすることができ、フェムト・セルとの関連を有するＵＥｓ（たとえば、クローズド・サブスクライバ・グループ（ＣＳＧ：Closed Subscriber Group）におけるＵＥｓ）によって制限されたアクセスを許可することができる。マクロ・セルのためのｅＮＢは、マクロｅＮＢと称されることができる。ピコ・セルのためのｅＮＢは、ピコｅＮＢと称されることができる。フェムト・セルのためのｅＮＢは、フェムトｅＮＢまたはホームｅＮＢ（ＨｅＮＢ）と称されることができる。図１に示される例において、ｅＮＢ１１０ａは、マクロ・セル１０２ａのためのマクロｅＮＢであることができ、ｅＮＢ１１０ｂは、ピコ・セル１０２ｂのためのピコｅＮＢであることができ、ｅＮＢ１１０ｃは、フェムト・セル１０２ｃのためのフェムトｅＮＢであることができる。ｅＮＢは、１つまたは複数（たとえば、３つ）のセルをサポートすることができる。用語「ｅＮＢ」、「基地局」および「セル」は、ここで区別なく使用されることができる。
【００１９】
ワイヤレス・ネットワーク１００は、また、中継局を含むことができる。中継局は、アップストリーム局（たとえば、ｅＮＢまたはＵＥ）からのデータの送信を受信し、ダウンストリーム局（たとえば、ＵＥまたはｅＮＢ）へのデータの送信を送ることができるエンティティである。中継局は、また、他のＵＥｓのための送信を中継することができるＵＥであることができる。図１に示される例において、中継局１１０ｄは、ｅＮＢ１１０ａとＵＥ１２０ｄの間の通信を容易にするために、マクロｅＮＢ１１０ａおよびＵＥ１２０ｄと通信することができる。中継局は、また、中継器ｅＮＢ、中継基地局、中継器等と称されることができる。
【００２０】
ワイヤレス・ネットワーク１００は、異なるタイプのｅＮＢｓ、たとえば、マクロｅＮＢｓ、ピコｅＮＢｓ、フェムトｅＮＢｓ、中継器ｅＮＢｓ等、を含む異機種ネットワーク（heterogeneous network）であることができる。これらの異なるタイプのｅＮＢｓは、ワイヤレス・ネットワーク１００において異なる送信電力レベル、異なるカバレッジ・エリア、および干渉に対する異なる影響を有することができる。たとえば、マクロｅＮＢｓは、高い送信電力レベル（たとえば、５から４０ワット）を有することができるのに対して、ピコｅＮＢｓ、フェムトｅＮＢｓ、および中継器ｅＮＢｓは、より低い送信電力レベル（たとえば、０．１から２ワット）を有し得る。
【００２１】
ネットワーク制御装置１３０は、ｅＮＢｓのセットに結合することができ、これらのｅＮＢｓのために調整および制御を提供することができる。ネットワーク制御装置１３０は、バックホールを経由してｅＮＢｓと通信することができる。ｅＮＢｓは、また、たとえば、ワイヤレスまたはワイヤライン・バックホールを経由して直接的または間接的に、互いに通信することができる。
【００２２】
ＵＥｓ１２０は、ワイヤレス・ネットワーク１００の全体にわたって分散されることができ、各ＵＥは、固定または可動であることができる。ＵＥは、また、端末、移動局、モバイル・デバイス、加入者ユニット、局等と称されることができる。ＵＥは、携帯電話、携帯用情報端末（ＰＤＡ）、ワイヤレス・モデム、ワイヤレス通信デバイス、ハンドヘルド・デバイス、ラップトップ・コンピュータ、コードレス電話、ワイヤレス・ローカル・ループ（ＷＬＬ）局、スマート・フォン、ネットブック、スマートブック、タブレット等であることができる。
【００２３】
図２は、図１における基地局／ｅＮＢｓのうちの１つおよびＵＥｓのうちの１つであることができる基地局／ｅＮＢ１１０およびＵＥ１２０の設計のブロック図を示す。基地局１１０には、Ｔ本のアンテナ２３４ａないし２３４ｔが装備されることができ、ＵＥ１２０にはＲ本のアンテナ２５２ａないし２５２ｒが装備されることができ、ここで、一般に、Ｔ≧１およびＲ≧１である。
【００２４】
基地局１１０では、送信プロセッサ２２０は、１つ以上のＵＥｓのためのデータ・ソース２１２からデータを受信し、ＵＥから受信されたチャネル品質インジケータ（ＣＱＩｓ：channel quality indicators）に基づいてＵＥごとに１つ以上の変調符号化方式（ＭＣＳ）を選択し、ＵＥのために選択されたＭＣＳ（ｓ）に基づいてＵＥごとのデータを処理（たとえば、符号化および変調）し、すべてのＵＥｓのためにデータ・シンボルを提供することができる。送信プロセッサ２２０は、また、システム情報および制御情報（たとえば、ＣＱＩリクエスト、グラント（grants）、上位レイヤ・シグナリング（upper layer signaling）等）を処理し、オーバーヘッド・シンボルおよび制御シンボルを提供することができる。プロセッサ２２０は、また、リファレンス信号（たとえば、ＣＲＳ）および同期信号（たとえば、ＰＳＳおよびＳＳＳ）のためのリファレンス・シンボルを生成することができる。送信（ＴＸ）複数入力複数出力（ＭＩＭＯ）プロセッサ２３０は、適用できる場合、データシンボル、制御シンボル、オーバーヘッド・シンボル、および／またはリファレンス・シンボルで空間処理（たとえば、プリコーディング）を行うことができ、Ｔ個の変調器（ＭＯＤｓ）２３２ａないし２３２ｔにＴ個の出力シンボル・ストリームを提供することができる。各変調器２３２は、出力サンプル・ストリームを得るために、（たとえば、ＯＦＤＭ等のための）それぞれの出力シンボル・ストリームを処理することができる。各変調器２３２は、ダウンリンク信号を得るために、出力サンプル・ストリームをさらに処理（たとえば、アナログへ変換、増幅、フィルタ、およびアップコンバート）することができる。変調器２３２ａないし２３２ｔからのＴ個のダウンリンク信号は、Ｔ個のアンテナ２３４ａないし２３４ｔを経由してそれぞれ送信されることができる。
【００２５】
ＵＥ１２０では、アンテナ２５２ａないし２５２ｒは、基地局１１０および／または他の基地局からのダウンリンク信号を受信することができ、復調器（ＤＥＭＯＤｓ）２５４ａないし２５４ｒに受信された信号をそれぞれ提供することができる。各復調器２５４は、入力サンプルを得るために、その受信された信号を調整（たとえば、フィルタ、増幅、ダウンコンバート、およびデジタル化）することができる。各復調器２５４は、受信されたシンボルを得るために、（たとえば、ＯＦＤＭ等のための）入力サンプルをさらに処理することができる。ＭＩＭＯ検出器２５６は、すべてのＲ個の復調器２５４ａないし２５４ｒから受信されたシンボルを得て、適用できる場合、受信されたシンボルでＭＩＭＯ検出を行い、検出されたシンボルを提供することができる。受信プロセッサ２５８は、検出されたシンボルを処理（たとえば、復調および複号）し、データシンク２６０にＵＥ１２０のための複号されたデータを提供し、制御装置／プロセッサ２８０に復号された制御情報およびシステム情報を提供することができる。下記で説明されるように、チャネル・プロセッサ２８４は、リファレンス信号受信電力（ＲＳＲＰ）、受信信号強度インジケータ（ＲＳＲＩ）、リファレンス信号受信品質（ＲＳＲＱ）、ＣＱＩ等を決定することができる。
【００２６】
アップリンクにおいて、ＵＥ１２０では、送信プロセッサ２６４は、データ・ソース２６２からのデータ、および制御装置／プロセッサ２８０からの（たとえば、ＲＳＲＰ、ＲＳＳＩ、ＲＳＲＱ、ＣＱＩ等を含む報告のための）制御情報を受信し、処理することができる。プロセッサ２６４は、また、１つ以上のリファレンス信号のためのリファレンス・シンボルを生成することができる。送信プロセッサ２６４からのシンボルは、適用できる場合、ＴＸ ＭＩＭＯプロセッサ２６６によってプリコードされ、（たとえば、ＳＣ−ＦＤＭ、ＯＦＤＭ等のための）変調器２５４ａないし２５４ｒによってさらに処理され、基地局１１０に送信されることができる。基地局１１０では、ＵＥ１２０および他のＵＥｓからのアップリンク信号は、アンテナ２３４によって受信され、復調器２３２によって処理され、適用できる場合、ＭＩＭＯ検出器２３６によって検出され、ＵＥ１２０によって送られる復号されたデータおよび制御情報を得るために受信プロセッサ２３８によってさらに処理されることができる。プロセッサ２３８は、データシンク２３９に復号されたデータを、制御装置／プロセッサ２４０に復号された制御情報を、提供することができる。
【００２７】
制御装置／プロセッサ２４０および２８０は、基地局１１０およびＵＥ１２０でのそれぞれの動作を指示することができる。基地局１１０でのプロセッサ２４０および／または他のプロセッサおよびモジュールは、ここで説明される技術のための他の処理および／または図６の動作６００を行う、または指示することができる。メモリ２４２および２８２は、基地局１１０およびＵＥ１２０のためのデータおよびプログラム・コードをそれぞれ記憶することができる。スケジューラ２４４は、ダウンリンクおよび／またはアップリンクでのデータ送信のためにＵＥｓをスケジュールすることができる。
【００２８】
下記のさらなる詳細において説明されるように、ＵＥ１２０にデータを送信する場合、基地局１１０は、データ割り当てサイズに少なくとも一部基づいてバンドリング・サイズを決定し、決定されたバンドリング・サイズのバンドルされた連続リソース・ブロックにおいてデータをプリコードするように構成されることができる、ここにおいて、各バンドルにおけるリソース・ブロックは、共通プリコーディング・マトリックスでプリコードされる。すなわち、リソース・ブロックにおけるＵＥ−ＲＳおよび／またはデータのようなリファレンス信号は、同一のプリコーダを使用してプリコードされる。バンドルされたＲＢｓの各ＲＢにおけるＵＥ−ＲＳのために使用される電力レベルは、また、同じであることができる。
【００２９】
ＵＥ１２０は、基地局１１０から送信されたデータを復号するために相補処理（complementary processing）を行うように構成されることができる。たとえば、ＵＥ１２０は、連続リソース・ブロック（ＲＢｓ）のバンドルにおける基地局から送信される受信されたデータのデータ割り当てサイズに基づいてバンドリング・サイズを決定し、ここにおいて、各バンドルにおけるリソース・ブロックにおける少なくとも１つのリファレンス信号は、共通プリコーディング・マトリックスでプリコードされる、決定されたバンドリング・サイズおよび基地局から送信された１つ以上のリファレンス信号（ＲＳｓ）に基づいて少なくとも１つのプリコード化チャネルを推定し、推定されたプリコード化チャネルを使用して受信されたバンドルを復号するように構成されることができる。
【００３０】
図３は、ＬＴＥにおけるＦＤＤのための例示的なフレーム構造３００を示す。ダウンリンクおよびアップリンクごとの送信タイムライン（transmission timeline）は、無線フレームの単位に分割されることができる。各無線フレームは、所定の持続時間（たとえば、１０ミリ秒（ｍｓ））を有することができ、０から９のインデックス（indices）を備えた１０個のサブフレームに分割されることができる。各サブフレームは２つのスロットを含むことができる。各無線サブフレームは、このように０から１９のインデックスを備えた２０個のスロットを含むことができる。各スロットは、Ｌ個のシンボル期間、たとえば、（図３に示されるような）通常のサイクリック・プレフィックス（a normal cyclic prefix）のための７個のシンボル期間、または拡張されたサイクリック・プレフィックス（an extended cyclic prefix）のための６個のシンボル期間を含むことができる。各サブフレームにおける２Ｌ個のシンボル期間は、０から２Ｌ−１のインデックスが割り当てられることができる。
【００３１】
ＬＴＥにおいて、ｅＮＢは、ｅＮＢによってサポートされるセルごとのシステム帯域幅の中心１．０８ＭＨｚのダウンリンクで一次同期信号（ＰＳＳ）および二次同期信号（ＳＳＳ）を送ることができる。図３に示されるように、ＰＳＳおよびＳＳＳは、通常のサイクリック・プレフィクスを備えた各無線フレームのサブフレーム０および５におけるシンボル期間６および５でそれぞれ送信されることができる。ＰＳＳおよびＳＳＳは、セル探索およびセル捕捉のためにＵＥｓによって使用されることができる。ｅＮＢは、ｅＮＢによってサポートされるセルごとのシステム帯域幅にわたるセル固有のリファレンス信号（cell-specific reference signal）を送信することができる。ＣＲＳは、各サブフレームのある特定のシンボル期間において送信されることができ、チャネル推定、チャネル品質測定（channel quality measurement）、および／または他の機能を行うためにＵＥｓによって使用されることができる。ｅＮＢは、また、ある特定の無線フレームのスロット１においてシンボル期間０から３で物理報知チャネル（ＰＢＣＨ：Physical Broadcast Channel）を送信することができる。ＰＢＣＨは、いくつかのシステム情報を搬送することができる。ｅＮＢは、ある特定のサブフレームにおいて物理ダウンリンク共有チャネル（ＰＤＳＣＨ）でシステム情報ブロック（ＳＩＢｓ）のような他のシステム情報を送信することができる。ｅＮＢは、サブフレームの第１のＢ個のシンボル期間における物理ダウンリンク制御チャネル（ＰＤＣＣＨ）で制御情報／データを送信することができ、ここで、Ｂ個はサブフレームごとに設定可能であることができる。ｅＮＢは、各サブフレームの残存シンボル期間（remaining symbol periods）におけるＰＤＳＣＨでトラヒック・データおよび／または他のデータを送信することができる。
【００３２】
図４は、通常のサイクリック・プレフィックスを備えたダウンリンクのための２つの例示的なサブフレーム・フォーマット４１０および４２０を示す。ダウンリンクのために利用可能な時間周波数リソースは、リソース・ブロックに分割されることができる。各リソース・ブロックは、１つのスロットに１２個のサブキャリアをカバーすることができ、多くのリソース・エレメントを含むことができる。各リソース・エレメントは、１つのシンボル期間において１つのサブキャリアをカバーすることができ、実数値または複素数値であることができる１つの変調シンボルを送るために使用されることができる。
【００３３】
サブフレーム・フォーマット４１０は、２本のアンテナが装備されたｅＮＢのために使用されることができる。ＣＲＳは、シンボル期間０、４、７、および１１におけるアンテナ０および１から送信されることができる。リファレンス信号は、送信機および受信機によるアプリオリに知られている信号であり、また、パイロット信号と称されることができる。ＣＲＳは、たとえば、セル・アイデンティティ（ＩＤ）に基づいて生成されたセルのための固有のリファレンス信号である。図４において、ラベル（label）Ｒａを備えた所与のリソース・エレメントについては、変調シンボルは、アンテナａからのリソース・エレメントで送信されることができ、変調シンボルは、他のアンテナからのリソース・エレメントで送信されることができない。サブフレーム・フォーマット420は、４本のアンテナが装備されたｅＮＢのために使用されることができる。ＣＲＳは、シンボル期間０、４、７、および１１におけるアンテナ０および１から、および、シンボル期間１および８におけるアンテナ２および３から、送信されることができる。サブフレーム・フォーマット４１０および４２０の両方については、ＣＲＳは、セルＩＤに基づいて決定されることができる空間サブキャリアで、均等に送信されることができる。異なるｅＮＢは、それらのセルＩＤｓに依存して、同一のまたは異なるサブキャリアでそれらのＣＲＳｓを送信することができる。サブフレーム・フォーマット４１０および４２０の両方については、ＣＲＳのために使用されないリソース・エレメントは、データ（たとえば、トラヒック・データ、制御データ、および／または他のデータ）を送信するために使用されることができる。
【００３４】
インターレース構造（interlace structure）は、ＬＴＥにおけるＦＤＤのためのダウンリンクおよびアップリンクごとに使用されることができる。たとえば、０ないしＱ−１のインデックスを備えたＱ個のインターレースが定義されることができ、ここで、Ｑは４、６、８、１０、またはいくつかの他の値と等しい。各インターレースは、Ｑ個のフレームによって離れた間隔をあけられるサブフレームを含むことができる。特に、インターレースｑは、サブフレームｑ、ｑ＋Ｑ、ｑ＋２Ｑ等を含むことができ、ここで、ｑ∈｛０，．．．，Ｑ−１｝である。
【００３５】
ワイヤレス・ネットワークは、ダウンリンクおよびアップリンクでのデータ送信のためのハイブリッド自動再送要求（ＨＡＲＱ）をサポートすることができる。ＨＡＲＱについては、送信機（たとえば、ｅＮＢ）は、パケットが受信機（たとえば、ＵＥ）によって正確に複号される、またはいくつかの他の終了条件が発生するまでパケットの１つ以上の送信を送ることができる。同期ＨＡＲＱについては、パケットのすべての送信は、単一のインターレースのサブフレームにおいて送られることができる。非同期ＨＡＲＱについては、パケットの各送信は、任意のサブフレームにおいて送られることができる。
【００３６】
ＵＥは、複数のｅＮＢｓのカバレッジ内に位置することができる。これらのｅＮＢｓのうちの１つは、ＵＥをサーブする（serve）ために選択されることができる。サービング（serving）ｅＮＢは、受信信号強度、受信信号品質、パスロス等のようなさまざまな基準に基づいて選択されることができる。受信信号品質は、信号対干渉および雑音電力比（ＳＩＮＲ）、またはＲＳＲＱ、またはいくつかの他のメトリックによって計られることができる。ＵＥは、ＵＥが１つ以上の干渉ｅＮＢｓから高い干渉を観測し得る支配的干渉シナリオ（dominant interference scenario）において、動作することができる。
【００３７】
上記で述べたように、ＰＲＢバンドリングは、一般に、連続リソース・ブロック（ＲＢｓ）にわたる同一のプリコーダ（またはプリコーディング・マトリックス）を利用する。バンドリング・サイズは、たとえば、同一のプリコーディング・マトリックスに基づいてプリコードされるような、同様の方法で処理されるＲＢｓの数を示すことができる。この方法におけるバンドリングは、ＵＥｓに、ＲＢｓにわたるプリコード化チャネルを共同で推定することを可能にさせることができ、それは、チャネル推定性能を改善することができる。
【００３８】
低速ＵＥｓについては、プリコーディング・マトリックスは、一般に、チャネルが著しく変更される前に使用され、ＵＥからのフィードバックに基づいた「クローズド−ループ」方法において選択される。高速ＵＥｓについては、いくつかの異なる（たとえば任意に選択された）プリコーダがＵＥに割り当てられたデータのために使用されるプリコーダ循環のような、ＵＥのフィードバックを要求しない「オープン・ループ」スキームが、しばしば使用される。プリコーダ循環の目的は、チャネルがエルゴード的に見えるようにするために（および実際のチャネル条件に合致しないプリコーディング・マトリックスが使用される場合、貧弱な性能（poor performance）を回避するために）、多くの異なる方向にわたってスイープすることであり得る。
【００３９】
バンドリングのないＵＥ固有のリファレンス信号（ＵＥ−ＲＳ：UE-specific reference signal）ベースの送信において、異なるプリコーダはデータ割り当てサイズに依存して、多くの異なるプリコーダを考慮して異なるＲＢｓにわたって使用されることができるが、プリコード化チャネルはＵＥごとのＲＢで推定されるので、同一のプリコーダが各ＲＢ内で使用されることができる。一例として、ＵＥがデータ送信のために４ＲＢｓを割り当てられた場合、ｅＮＢは４つの異なるプリコーダを使用することができる。
【００４０】
上記で述べたように、バンドリングがイネーブルである場合、同一のプリコーダはバンドルされたＲＢｓにわたって使用されることができるので、割り当てられたデータ量のために使用されたプリコーダの総数を削減することができる。たとえば、バンドリング・サイズが２ＲＢｓの場合、２個のプリコーダのみが４ＲＢデータ割り当てのために使用されることができる。悪いことに、使用されたプリコーダ数のこの減少は、より少ない方向にわたる送信となり、それは、特に小さいデータ割り当てのために、バンドリングに起因したチャネル推定性能における利得をより多くオフセットし得る。
【００４１】
一方で、２４ＲＢｓのような大きいデータ割り当てについては、バンドリングなしで使用されるプリコーダ数は、２４であり、２ＲＢのバンドリング・サイズを備えた場合、プリコーダ数は、依然として１２であり、それはまだ十分であると考慮され得る。従って、依然として使用される比較的多くのプリコーダ数が原因で、２４個のプリコーダから１２個のプリコーダまでのチャネルの非エルゴード性（non-ergodicity）による損失は、一般に、４個のプリコーダから２個のプリコーダへ進む場合と比較して非常に小さい。
【００４２】
ある特定の態様に従って、バンドリング・サイズは、データ割り当てサイズの機能として決定されることができる。いくつかのケースにおいて、バンドリングは、たとえば、１つのバンドリング・サイズを特定することによって、小さいデータ割り当てサイズのためにディスエーブルにされ得る。そのような小さい割り当てについては、バンドリングに起因したチャネル推定における利得は、より少ないプリコーダの使用によるオフセットよりも多くなり得るので、少しもバンドリングを有さないことが有益であり得る。しかしながら、より大きいデータ割り当てについては、バンドリングは、有益であることができる。
【００４３】
図５は、本開示のある特定の態様に従って、動作することができる基地局（またはｅＮＢ）５１０およびＵＥ５２０を備えたワイヤレス・システム例５００を示す。
【００４４】
ある特定の態様に従って、基地局５１０は、ＵＥ固有のリファレンス信号（ＵＥ−ＲＳ）を使用してＵＥ５２０へのデータ送信のために使用するようにバンドリング・サイズを決定することができる。データ送信およびＵＥ−ＲＳは、メッセージ・プロセッサ・コンポーネント５１４によって生成されたＰＤＳＣＨメッセージにおいて送信されることができる。
【００４５】
ＵＥ−ＲＳは、データのために使用されるような同一のプリコーダ（プリコーディング・マトリックス）を使用してプリコードされることができる。ＵＥは、ＵＥ−ＲＳからプリコード化チャネルを直接推定することができるので、プリコーディング・マトリックスを知る必要はないが、改善されたチャネル推定を得るために、バンドリング・サイズ（これが同一のプリコーダが使用されるサイズであるので）を知る必要があり得る。ある特定の態様に従って、基地局５１０は、（たとえば、ダウンリンク・グラント（downlink grant）を経由して）ＵＥ５２０にデータ割り当てサイズを信号で送ることができ、ＵＥは、そこからバンドリング・サイズを決定することができる。
【００４６】
示されるように、ＵＥ５２０は、受信機モジュール５２６を経由してデータ送信およびＵＥ−ＲＳを受信することができる。メッセージ処理コンポーネント５２４は、メッセージを処理することができ、成功的に複号された場合、送信機モジュール５２２を経由して、基地局５１０に送信されるべき肯定応答メッセージを生成することができる。基地局は、受信機モジュール５１６を経由して肯定応答メッセージを受信することができる。
【００４７】
上記に述べたように、基地局５１０は、データ割り当てサイズに基づいてバンドリング・サイズをイネーブル／ディスエーブル、および／または決定することができる。図６は、本開示のある特定の態様に従って、バンドリング・リソース・ブロックのための、たとえば、図５の基地局５１０で行われることができる、動作例６００を示す。
【００４８】
動作６００は、送信されるべきデータのために利用可能なデータ割り当てサイズを決定することによって、６０２で開始する。６０４では、バンドリング・サイズは、データ割り当てサイズに少なくとも一部基づいて決定されることができる。６０６では、決定されたバンドリング・サイズのバンドルされた連続リソース・ブロックにおけるＵＥ−ＲＳが、プリコードされる。各バンドルにおけるリソース・ブロックにおけるＵＥ−ＲＳは、共通のプリコーディング・マトリックスでプリコードされる。いくつかの送信スキームに従って、バンドルされた連続リソース・ブロックにおけるデータは、また、ＵＥ−ＲＳのような同一のプリコーディング・マトリックスを使用してプリコードされることができる。他の送信スキームについては、データのために使用されるプリコーダは、ＵＥ−ＲＳのために使用されるものと異なり得る。
【００４９】
ある特定の態様に従って、バンドリング・サイズは、また、チャネル・プロパティ（たとえば、遅延スプレッド）、送信（Ｔｘ）および受信（Ｒｘ）アンテナ数、電流送信ランク（current transmission rank）、および／または電流送信モード（current transmission mode）（たとえば、オープン・ループまたはクローズド・ループ）のような、１つ以上の他のパラメータの機能であることができる。
【００５０】
図７は、本開示のある特定の態様に従って、バンドルされたリソース・ブロックを処理するための、たとえば、図５のＵＥ５２０で行われることができる、動作例７００を示す。
【００５１】
動作７００は、連続リソース・ブロック（ＲＢｓ）のバンドルにおける基地局から送信される受信されたデータのデータ割り当てサイズに基づいてバンドリング・サイズを決定することによって、７０２で開始する。各バンドルにおけるリソース・ブロックにおけるリファレンス信号は、共通のプリコーディング・マトリックスでプリコードされることができる。いくつかの送信スキームに従って、バンドルされた連続リソース・ブロックにおけるデータは、また、リファレンス信号のような同一のプリコーディング・マトリックスを使用してプリコードされることができる。他の送信スキームについては、データのために使用されるプリコーダは、リファレンス信号のために使用されるものと異なり得る。ＵＥは、（たとえば、ダウンリンク・グラントからの）データ割り当てサイズを知ることができるので、また、バンドルされたＲＢｓにわたる１つ以上のプリコード化チャネルを共同で推定することにおいて、使用するためのバンドリング・サイズを決定することができる。
【００５２】
７０４では、１つ以上のプリコード化チャネルが、決定されたバンドリング・サイズおよび基地局から送信された１つ以上のリファレンス信号（ＲＳｓ）に基づいて推定される。７０６では、ＵＥは、推定されたチャネルを使用して受信されたバンドルを複号する。動作７００は、割り当てられたデータのサイズに基づいて毎回決定された特定のバンドリング・サイズとともに、送信ごとに反復されることができる。
【００５３】
ここに開示される技術は、データ割り当てサイズに依存する物理リソース・ブロック（ＰＲＢｓ）のバンドリングを生成することによって、ダウンリンク送信の最適化をすることを支援するために利用されることができる。説明されたように、バンドリングは、データ割り当てサイズに基づいて、イネーブルおよびディスエーブル（および／または決定されたバンドリング・サイズ）にされることができる。この方法において、小さいデータ割り当てサイズについては、少数のプリコーダのみが少数の対応バンドルに起因して使用されるので、バンドリングはディスエーブルにされる（たとえば、バンドリング＝１）が、十分なプリコーダ数がデータ割り当てサイズのために使用される場合、バンドリングは利用されることができる。
【００５４】
上記に説明された方法のさまざまな動作は、対応する機能を行うことが可能な任意の適切な手段によって行われることができる。手段は、限定される訳ではないが、回路、特定用途向け集積回路（ＡＳＩＣ）、またはプロセッサを含むさまざまな（単数または複数の）ハードウェアおよび／またはソフトウェア・コンポーネント、および／またはモジュールを含むことができる。一般に、図面に例示された動作が存在する場合、これら動作は、任意の適切な同じ符番を付された対応するミーンズ・プラス・ファンクション（means-puls-fuction）コンポーネントによって行われることができる。
【００５５】
当業者は、情報および信号がさまざまな異なる技術および技法のうちの何れかを用いて表わされることできるということを理解するであろう。例えば、上記説明を通じて参照されることができるデータ、命令、コマンド、情報、信号、ビット、シンボル、およびチップは、電圧、電流、電磁波、磁場または磁性粒子、光学場または光学粒子、あるいはこれらの任意の組み合わせによって表現されることができる。
【００５６】
当業者は、本開示に関連して説明されたさまざまな例示的な論理ブロック、モジュール、回路、およびアルゴリズムのステップが、電子ハードウェア、コンピュータソフトウェア、または両者の組み合わせとして実現され得ることを、さらに理解するだろう。ハードウェアとソフトウェアのこの互換性を明確に示すために、さまざまな例示的なコンポーネント、ブロック、モジュール、回路、およびステップが、それらの機能の観点で一般的に上述されている。そのような機能がハードウェアとして実現されるか、ソフトウェアとして実現されるかは、システム全体に課された特定の用途および設計上の制約に依存する。当業者は、特定の用途ごとにさまざまな手法で、説明された機能を実現することができるが、そのような実現の決定は、本開示の範囲から逸脱するものと解釈されるべきではない。
【００５７】
本開示に関して記載されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）または他のプログラマブル論理デバイス、離散ゲートまたはトランジスタ論理、離散ハードウェアコンポーネント、または、ここに説明される機能を実行するように設計されたこれら任意の組み合わせとともに実現または実行されることができる。汎用プロセッサは、マイクロ・プロセッサであることができるが、あるいは、プロセッサは、任意の従来のプロセッサ、コントローラ、マイクロ・コントローラ、または状態機械（state machine）であることができる。プロセッサは、また、たとえばＤＳＰとマイクロ・プロセッサの組み合わせ、複数のマイクロ・プロセッサ、ＤＳＰコアと連動する１つ以上のマイクロ・プロセッサ、または任意の他のこのような構成であるコンピューティング・デバイスの組み合わせとして実現されることができる。
【００５８】
本開示に関連して説明された方法またはアルゴリズムのステップは、ハードウェアで直接的に、プロセッサによって実行されるソフトウェア・モジュールで、または両者の組み合わせで具現化されることができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、または当該技術で周知の任意の他の形態の記憶媒体において存在することができる。例示的な記憶媒体は、プロセッサが記憶媒体から情報を読み出し、記憶媒体に情報を書き込むことができるように、プロセッサに結合される。あるいは、記憶媒体は、プロセッサと一体化されることができる。プロセッサおよび記憶媒体は、ＡＳＩＣに存在することができる。ＡＳＩＣは、端末に存在することができる。あるいは、プロセッサおよび記憶媒体は、端末に離散コンポーネントとして存在することができる。
【００５９】
１つ以上の例示的な設計において、説明される機能は、ハードウェア、ソフトウェア、ファームウェア、またはそれらの任意の組み合わせで実現されることができる。ソフトウェアで実現される場合、機能は、１つ以上の命令またはコードとしてコンピュータ可読媒体で記憶され、送信されることができる。コンピュータ可読媒体は、コンピュータ・プログラムをある場所から別の場所への転送を容易にする任意の媒体を含むコンピュータ記憶媒体と通信媒体の両方を含む。記憶媒体は、汎用または特殊用途コンピュータによってアクセスされることができる任意の利用可能な媒体であることができる。限定ではなく例として、そのようなコンピュータ可読媒体は、命令またはデータ構造の形態で所望のプログラム・コード手段を搬送または記憶するために使用されることができ、汎用または特殊用途コンピュータ、あるいは、汎用または特殊用途プロセッサによってアクセスされることができる、ＲＡＭ、ＲＯＭ、ＥＥＰＲＯＭ、ＣＤ−ＲＯＭまたはその他の光ディスク記憶装置、磁気ディスク記憶装置、または他の磁気記憶デバイス、または、任意の他の媒体を含むことができる。ディスク（disk）およびディスク（disc）は、ここで使用される場合、コンパクト・ディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、磁気的にデータを再生するが、ディスク（disc）は、レーザーを用いて光学的にデータを再生する。上記の組み合わせは、また、コンピュータ可読媒体の範囲内に含まれるべきである。
【００６０】
本開示の先の説明は、いずれの当業者でも本開示を作り出し、使用することを可能にさせるために提供されている。本開示に対するさまざまな変更は、当業者に容易に理解され、ここで定義される一般的な原理は、本開示の精神および範囲から逸脱することなく、他の変化に適応することができる。このように、本開示は、ここに説明された例および設計に限定されることは意図しておらず、ここに開示される原理および新規な特徴と一致する可能性がある最も広い範囲が付与されるべきである。
以下に、本願出願の当初の特許請求の範囲に記載された発明を付記する。
［Ｃ１］
送信されるべきデータのために利用可能なデータ割り当てサイズを決定することと、
前記データ割り当てサイズに少なくとも一部基づいてバンドリング・サイズを決定することと、
前記決定されたバンドリング・サイズのバンドルされた連続リソース・ブロックにおける少なくとも１つのリファレンス信号をプリコーディングすることと、ここにおいて、各バンドルにおけるリソース・ブロックにおける前記少なくとも１つのリファレンス信号は、共通プリコーディング・マトリックスでプリコードされる、
を含む、ワイヤレス通信のための方法。
［Ｃ２］
各リソース・ブロックにおけるデータは、前記少なくとも１つのリファレンス信号のような前記同一のプリコーダを使用する、Ｃ１に記載の方法。
［Ｃ３］
前記バンドリング・サイズを前記決定することは、遅延スプレッドに少なくとも一部基づいて前記バンドリング・サイズを決定することをさらに含む、Ｃ１に記載の方法。
［Ｃ４］
前記バンドリング・サイズを前記決定することは、多くの送信アンテナおよび多くの受信アンテナのうちの１つに少なくとも一部基づいて前記バンドリング・サイズを決定することをさらに含む、Ｃ１に記載の方法。
［Ｃ５］
前記バンドリング・サイズを前記決定することは、電流送信ランクに少なくとも一部基づいて前記バンドリング・サイズを決定することをさらに含む、Ｃ１に記載の方法。
［Ｃ６］
前記バンドリング・サイズを前記決定することは、送信モードに少なくとも一部基づいて前記バンドリング・サイズを決定することをさらに含む、Ｃ１に記載の方法。
［Ｃ７］
前記送信モードは、オープン−ループ送信モードおよびクローズド−ループ送信モードのうちの１つを含む、Ｃ６に記載の方法。
［Ｃ８］
送信されるべきデータのために利用可能なデータ割り当てサイズを決定するための手段と、
前記データ割り当てサイズに少なくとも一部基づいてバンドリング・サイズを決定するための手段と、
前記決定されたバンドリング・サイズのバンドルされた連続リソース・ブロックにおける少なくとも１つのリファレンス信号をプリコーディングするための手段と、ここにおいて、各バンドルにおけるリソース・ブロックにおける前記少なくとも１つのリファレンス信号は、共通プリコーディング・マトリックスでプリコードされる、
を含む、ワイヤレス通信のための装置。
［Ｃ９］
各リソース・ブロックにおけるデータは、前記少なくとも１つのリファレンス信号のような前記同一のプリコーダを使用する、Ｃ８に記載の装置。
［Ｃ１０］
前記バンドリング・サイズを決定するための前記手段は、遅延スプレッドに少なくとも一部基づいて前記バンドリング・サイズを決定するための手段をさらに含む、Ｃ８に記載の装置。
［Ｃ１１］
前記バンドリング・サイズを決定するための前記手段は、多くの送信アンテナおよび多くの受信アンテナのうちの１つに少なくとも一部基づいて前記バンドリング・サイズを決定するための手段をさらに含む、Ｃ８に記載の装置。
［Ｃ１２］
前記バンドリング・サイズを決定するための前記手段は、電流送信ランクに少なくとも一部基づいて前記バンドリング・サイズを決定するための手段をさらに含む、Ｃ８に記載の装置。
［Ｃ１３］
前記バンドリング・サイズを決定するための前記手段は、送信モードに少なくとも一部基づいて前記バンドリング・サイズを決定するための手段をさらに含む、Ｃ８に記載の装置。
［Ｃ１４］
前記送信モードは、オープン−ループ送信モードおよびクローズド−ループ送信モードのうちの１つを含む、Ｃ１３に記載の装置。
［Ｃ１５］
ワイヤレス通信のためのコンピュータ・プログラム製品であって、
その上に記憶される命令を有するコンピュータ可読媒体を含み、
前記命令はプロセッサによって実行可能であり、前記命令は、
送信されるべきデータのために利用可能なデータ割り当てサイズを決定するための命令と、
前記データ割り当てサイズに少なくとも一部基づいてバンドリング・サイズを決定するための命令と、
前記決定されたバンドリング・サイズのバンドルされた連続リソース・ブロックにおける少なくとも１つのリファレンス信号をプリコーディングするための命令と、ここにおいて、各バンドルにおけるリソース・ブロックにおける前記少なくとも１つのリファレンス信号は、共通プリコーディング・マトリックスでプリコードされる
を含む、ワイヤレス通信のためのコンピュータ・プログラム製品。
［Ｃ１６］
送信されるべきデータのために利用可能なデータ割り当てサイズを決定する、
前記データ割り当てサイズに少なくとも一部基づいてバンドリング・サイズを決定する、
前記決定されたバンドリング・サイズのバンドルされた連続リソース・ブロックにおける少なくとも１つのリファレンス信号をプリコードする
ように構成される少なくとも１つのプロセッサと、ここにおいて、各バンドルにおけるリソース・ブロックにおける前記少なくとも１つのリファレンス信号は、共通プリコーディング・マトリックスでプリコードされる、
前記少なくとも１つのプロセッサに結合されるメモリと
を含む、ワイヤレス通信のための装置。
［Ｃ１７］
各リソース・ブロックにおけるデータは、前記少なくとも１つのリファレンス信号のような前記同一のプリコーダを使用する、Ｃ１６に記載の装置。
［Ｃ１８］
連続リソース・ブロックのバンドルにおける基地局から送信されたデータのデータ割り当てサイズに基づいてバンドリング・サイズを決定することと、ここにおいて、各バンドルにおけるリソース・ブロックにおける少なくとも１つのリファレンス信号は、共通プリコーディング・マトリックスでプリコードされる
前記基地局から送信された１つ以上のリファレンス信号および前記決定されたバンドリング・サイズに基づいて少なくとも１つのプリコード化チャネルを推定することと
を含む、ワイヤレス通信のための方法。
［Ｃ１９］
前記推定されたプリコード化チャネルを使用して前記受信されたバンドルをデコーディングすることをさらに含む、Ｃ１８に記載の方法。
［Ｃ２０］
各リソース・ブロックにおけるデータは、前記少なくとも１つのリファレンス信号のような前記同一のプリコーダを使用する、Ｃ１８に記載の方法。
［Ｃ２１］
前記決定することは、遅延スプレッドに少なくとも一部基づいて前記バンドリング・サイズを決定することをさらに含む、Ｃ１８に記載の方法。
［Ｃ２２］
前記決定することは、多くの送信アンテナおよび多くの受信アンテナのうちの１つに少なくとも一部基づいて前記バンドリング・サイズを決定することをさらに含む、Ｃ１８に記載の方法。
［Ｃ２３］
前記決定することは、電流送信ランクに少なくとも一部基づいて前記バンドリング・サイズを決定することをさらに含む、Ｃ１８に記載の方法。
［Ｃ２４］
前記決定することは、送信モードに少なくとも一部基づいて前記バンドリング・サイズを決定することをさらに含む、Ｃ１８に記載の方法。
［Ｃ２５］
前記送信モードは、オープン−ループ送信モードおよびクローズド−ループ送信モードのうちの少なくとも１つを含む、Ｃ２４に記載の方法。
［Ｃ２６］
連続リソース・ブロックのバンドルにおける基地局から送信されたデータのデータ割り当てサイズに基づいてバンドリング・サイズを決定するための手段と、ここにおいて、各バンドルにおけるリソース・ブロックにおける少なくとも１つのリファレンス信号は、共通プリコーディング・マトリックスでプリコードされる
前記基地局から送信された１つ以上のリファレンス信号および前記決定されたバンドリング・サイズに基づいて少なくとも１つのプリコード化チャネルを推定するための手段と
を含む、ワイヤレス通信のための装置。
［Ｃ２７］
前記推定されたプリコード化チャネルを使用して前記受信されたバンドルをデコーディングするための手段をさらに含む、Ｃ２６に記載の装置。
［Ｃ２８］
各リソース・ブロックにおけるデータは、前記少なくとも１つのリファレンス信号のような前記同一のプリコーダを使用する、Ｃ２６に記載の装置。
［Ｃ２９］
前記バンドリング・サイズを決定するための前記手段は、遅延スプレッドに少なくとも一部基づいて前記バンドリング・サイズを決定するための手段をさらに含む、Ｃ２６に記載の装置。
［Ｃ３０］
前記バンドリング・サイズを決定するための前記手段は、多くの送信アンテナおよび多くの受信アンテナのうちの１つに少なくとも一部基づいて前記バンドリング・サイズを決定するための手段をさらに含む、Ｃ２６に記載の装置。
［Ｃ３１］
前記バンドリング・サイズを決定するための前記手段は、電流送信ランクに少なくとも一部基づいて前記バンドリング・サイズを決定するための手段をさらに含む、Ｃ２６に記載の装置。
［Ｃ３２］
前記バンドリング・サイズを決定するための前記手段は、送信モードに少なくとも一部基づいて前記バンドリング・サイズを決定するための手段をさらに含む、Ｃ２６に記載の装置。
［Ｃ３３］
前記送信モードは、オープン−ループ送信モードおよびクローズド−ループ送信モードのうちの１つを含む、Ｃ３２に記載の装置。
［Ｃ３４］
ワイヤレス通信のためのコンピュータ・プログラム製品であって、
その上に記憶される命令を有するコンピュータ可読媒体を含み、
前記命令はプロセッサによって実行可能であり、前記命令は、
連続リソース・ブロックのバンドルにおける基地局から送信されたデータのデータ割り当てサイズに基づいてバンドリング・サイズを決定するための命令と、ここにおいて、各バンドルにおけるリソース・ブロックにおける少なくとも１つのリファレンス信号は、共通プリコーディング・マトリックスでプリコードされる
前記基地局から送信された１つ以上のリファレンス信号および前記決定されたバンドリング・サイズに基づいて少なくとも１つのプリコード化チャネルを推定するための命令と
を含む、コンピュータ・プログラム製品。
［Ｃ３５］
各リソース・ブロックにおけるデータは、前記少なくとも１つのリファレンス信号のような前記同一のプリコーダを使用する、Ｃ３４に記載のコンピュータ・プログラム製品。
［Ｃ３６］
連続リソース・ブロックのバンドルにおける基地局から送信されたデータのデータ割り当てサイズに基づいてバンドリング・サイズを決定する、ここにおいて、各バンドルにおけるリソース・ブロックにおける少なくとも１つのリファレンス信号は、共通プリコーディング・マトリックスでプリコードされる、
前記基地局から送信された１つ以上のリファレンス信号および前記決定されたバンドリング・サイズに基づいて少なくとも１つのプリコード化チャネルを推定する
ように構成される少なくとも１つのプロセッサと、
前記少なくとも１つのプロセッサに結合されるメモリと
を含む、ワイヤレス通信のための装置。
［Ｃ３７］
前記少なくとも１つのプロセッサは、前記推定されたプリコード化チャネルを使用して前記受信されたバンドルを複号するようにさらに構成される、Ｃ３６に記載の装置。
［Ｃ３８］
各リソース・ブロックにおけるデータは、前記少なくとも１つのリファレンス信号のような前記同一のプリコーダを使用する、Ｃ３６に記載の装置。
【図１】
0005607247.tif 000002
【図２】
0005607247.tif 000003
【図３】
0005607247.tif 000004
【図４】
0005607247.tif 000005
【図５】
0005607247.tif 000006
【図６】
0005607247.tif 000007
【図７】
0005607247.tif 000008